(57)【要約】【課題】本発明は、ディスプレイ本体のハンドルを壁掛け用のブラケットとして活用することができ、使い勝手が向上するディスプレイ装置を得ることにある。【解決手段】ディスプレイ装置は、表示面4aおよび背面6を有するディスプレイ本体2と、ディスプレイ本体2の背面6に支持されたハンドル10とを備えている。ハンドル10は、第１の位置と第２の位置との間で選択的に回動可能である。ハンドル10を第１の位置に回動させると、ハンドル10は、据付面11とディスプレイ本体2の下端との間に介在されてディスプレイ本体2を起立した姿勢に保持する。第２の位置では、ハンドル10はディスプレイ本体2の背面6に沿うように起立して、そのグリップ部31がハンドル10の上端に位置し、ハンドル10が壁掛け用のブラケットを兼ねる。【選択図】      図９
2007316502.tif 000002
【特許請求の範囲】
【請求項１】
表示面および表示面の反対側に位置する背面を有するディスプレイ本体と、
上記ディスプレイ本体の背面に支持され、上記ディスプレイ本体の幅方向に延びるグリップ部を有するハンドルと、を具備し、
上記ハンドルは、上記ディスプレイ本体を据付面の上に設置する時に、上記据付面とディスプレイ本体の下端との間に介在されて上記ディスプレイ本体を起立した姿勢に保持する第１の位置と、上記ディスプレイ本体の背面に沿うように起立して上記グリップ部が上記ハンドルの上端に位置する第２の位置と、の間で選択的に回動可能であることを特徴とするディスプレイ装置。
【請求項２】
請求項１の記載において、上記ハンドルは、上記第２の位置に回動された時に、壁掛け用のブラケットを兼ねることを特徴とするディスプレイ装置。
【請求項３】
請求項１ないし請求項３のいずれかの記載において、上記ハンドルを上記第２の位置に回動させた状態では、上記グリップ部が上記ディスプレイ本体の上方に突出することを特徴とするディスプレイ装置。
【請求項４】
請求項１又は請求項２の記載において、上記ディスプレイ本体は、その背面に上記ハンドルを格納する凹部を有し、上記ハンドルは、上記第２の位置に回動された時に上記凹部に入り込むことを特徴とするディスプレイ装置。
【請求項５】
請求項１又は請求項２の記載において、上記ディスプレイ本体は、上記ハンドルを上記第２の位置に保持する保持手段を有することを特徴とするディスプレイ装置。
【請求項６】
請求項１の記載において、上記ハンドルは、上記ディスプレイ本体に回動可能に支持された第１のレバー部と、上記グリップ部を有するとともに上記第１のレバー部に回動可能に連結された第２のレバー部とを備え、上記第２のレバー部は、上記ハンドルを上記第１の位置に回動させた時に、上記据付面と上記ディスプレイ本体の下端との間に介在されて据え置き用のスタンドを兼ねることを特徴とするディスプレイ装置。
【請求項７】
請求項６の記載において、上記第２のレバー部は、上記ハンドルを上記第２の位置に回動させた時に、そのグリップ部が上記ディスプレイ本体の上方に突出して壁掛け用のブラケットを兼ねることを特徴とするディスプレイ装置。
【請求項８】
請求項６の記載において、上記ハンドルの第２のレバー部は、伸縮可能であることを特徴とするディスプレイ装置。
【発明の詳細な説明】
【技術分野】
【０００１】
本発明は、例えば液晶テレビのような薄型のディスプレイ装置に係り、特に据付用のスタンドおよび壁掛け用のブラケットとしての機能を兼ねるハンドルの構造に関する。
【背景技術】
【０００２】
例えば小型の液晶テレビは、必要に応じて持ち運びができるようにハンドルを備えている。ハンドルは、液晶テレビの背面に支持されており、スタンドを兼ねる第１の位置と、運搬用の把手を兼ねる第２の位置との間で選択的に回動可能となっている。
【０００３】
第１の位置では、ハンドルは液晶テレビの下端から後方に向けて張り出しており、液晶テレビを水平な据付面の上に起立した姿勢で保持するようになっている。第２の位置では、ハンドルは液晶テレビの下端から下向きに張り出している。
【０００４】
このハンドルは、液晶テレビを上下に反転させることで、液晶テレビの上端に位置するようになっている。そのため、ハンドルを手で掴むことが可能となり、液晶テレビを吊り下げた姿勢で持ち運ぶことができる。
【特許文献１】実用新案登録第３１０９３５６号公報
【発明の開示】
【発明が解決しようとする課題】
【０００５】
従来の液晶テレビによると、スタンドを兼ねるハンドルは、第２の位置に回動させた時に液晶テレビの下端から下向きに突出するので、ハンドルを握って液晶テレビを持ち運ぶ際には、液晶テレビを逆さに反転させる必要がある。
【０００６】
液晶テレビを逆さにすると、表示面の向きが上下に反転する。液晶テレビを持ち運ぶ際に表示面の向きが反転していたとしても然したる問題は発生しない。しかしながら、例えば第２の位置にあるハンドルを利用して液晶テレビを起立した壁面に取り付けようとすると、表示面の向きが反転したままとなる。
【０００７】
この結果、第２の位置にあるハンドルを壁掛け用のブラケットとして利用することができなくなり、専用の壁掛けブラケットを別途用意する必要が生じてくる。
【０００８】
さらに、従来のハンドルを敢えて壁掛け用のブラケットとして利用するためには、例えば表示面の向きを検知するとともに、液晶テレビの反転に合わせて表示面上に表示される画面の向きを電気的に切り換える機能を液晶テレビに付加しなくてはならない。このため、液晶テレビのコストの増大を招く原因となり、有効な解決策とはなり得ない。
【０００９】
本発明の目的は、表示面を反転させることなくディスプレイ本体のハンドルを壁掛け用のブラケットとして活用することができ、使い勝手が向上するディスプレイ装置を得ることにある。
【課題を解決するための手段】
【００１０】
上記目的を達成するため、本発明の一つの形態に係るディスプレイ装置は、  
表示面および表示面の反対側に位置する背面を有するディスプレイ本体と、  
上記ディスプレイ本体の背面に支持され、上記ディスプレイ本体の幅方向に延びるグリップ部を有するハンドルと、を備えている。  
上記ハンドルは、上記ディスプレイ本体を据付面の上に設置する時に、上記据付面とディスプレイ本体の下端との間に介在されて上記ディスプレイ本体を起立した姿勢に保持する第１の位置と、上記ディスプレイ本体の背面に沿うように起立して上記グリップ部が上記ハンドルの上端に位置する第２の位置と、の間で選択的に回動可能であることを特徴としている。
【発明の効果】
【００１１】
本発明によれば、第２の位置に回動されたハンドルを用いてディスプレイ本体を起立した壁に取り付けた場合でも、表示面はハンドルが第１の位置にある時と同じ起立した姿勢を保つ。そのため、ハンドルを壁掛け用のブラケットとして活用することができ、ディスプレイ装置を壁掛け状態で使用できる。
【００１２】
それとともに、ディスプレイ装置の表示面の向きに応じて画面を切り換える処理が不要となり、コスト的な面でも好都合となる。
【発明を実施するための最良の形態】
【００１３】
以下本発明の第１の実施の形態を、図１ないし図１３に基づいて説明する。
【００１４】
図１ないし図４は、ディスプレイ装置の一例である薄型の液晶テレビ１を開示している。液晶テレビ１は、持ち運びが可能な大きさのディスプレイ本体２を備えている。
【００１５】
ディスプレイ本体２は、筐体３と液晶表示パネル４とを含んでいる。筐体３は、前面５、背面６および周面７を有する偏平な四角い箱状をなしている。液晶表示パネル４は、筐体３の内部に収容されている。液晶表示パネル４は、映像を表示する表示面４ａを有している。表示面４ａは、前面５に開けた四角い開口部８を通じて筐体３の外に露出している。
【００１６】
さらに、筐体３の前面５に図示しないスピーカを覆うスピーカカバー９が取り付けられている。スピーカカバー９は、表示面４ａの下方に位置するとともに、筐体３の幅方向に延びている。
【００１７】
図１ないし図４に示すように、ディスプレイ本体２は、ハンドル１０を装備している。ハンドル１０は、ディスプレイ本体２を持ち運ぶ把手としての機能と、ディスプレイ本体２を例えばテレビ台のような水平な据付面１１の上に支持するスタンドとしての機能と、ディスプレイ本体２を起立した壁１２（図１２に示す）に掛けるブラケットとしての機能とを兼ね備えている。
【００１８】
具体的に述べると、ハンドル１０は、筐体３の背面６に組み込まれている。筐体３の背面６は、ハンドル１０を収容する凹部１３を有している。図５に示すように、凹部１３は、底面１４、左右の側面１５ａ，１５ｂおよび下面１６を有するとともに、筐体３の周面７のうち筐体３の上端に位置する部分に開口している。側面１５ａ，１５ｂは、夫々凹部１３内に張り出す座部１７ａ，１７ｂを有している。座部１７ａ，１７ｂは、側面１５ａ，１５ｂの下部に位置するとともに、筐体３の幅方向に互いに向かい合っている。
【００１９】
第１の実施の形態のハンドル１０は、第１のレバー部２０と第２のレバー部２１とで構成されている。
【００２０】
第１のレバー部２０は、一対のスイングアーム２２ａ，２２ｂとクロスパイプ２３とを備えている。スイングアーム２２ａ，２２ｂは、筐体３の幅方向に互いに間隔を存して平行に配置されている。クロスパイプ２３は、スイングアーム２２ａ，２２ｂの一端の間を連結するとともに、筐体３の幅方向に沿って水平に延びている。
【００２１】
さらに、スイングアーム２２ａ，２２ｂは、夫々第１の連結部２４を有している。第１の連結部２４は、筐体３の高さ方向に偏平に押し潰された形状をなすとともに、スイングアーム２２ａ，２２ｂの他端に位置している。
【００２２】
スイングアーム２２ａ，２２ｂの一端は、夫々ヒンジ軸２５を介して凹部１３の座部１７ａ，１７ｂに回動可能に支持されている。図３および図６に示すように、ヒンジ軸２５は、筐体３の幅方向に沿って水平に配置されているとともに、座部１７ａ，１７ｂおよびスイングアーム２２ａ，２２ｂの一端を貫通している。ヒンジ軸２５の先端は、クロスパイプ２３の開口端に固定したナット部材２６にねじ込まれている。さらに、座部１７ａ，１７ｂとスイングアーム２２ａ，２２ｂの一端との間には、スイングアーム２２ａ，２２ｂの自由な回動を制限する複数のワッシャ２７が介在されている。
【００２３】
このため、スイングアーム２２ａ，２２ｂは、ヒンジ軸２５を支点として、凹部１３の底面１４に沿うように起立する姿勢と、凹部１３から筐体３の後方に向けて突出する姿勢との間で回動可能となっている。
【００２４】
ハンドル１０の第２のレバー部２１は、一対の支持アーム２９ａ，２９ｂ、クロスパイプ３０およびグリップ部３１を有している。
【００２５】
支持アーム２９ａ，２９ｂは、筐体３の幅方向に互いに間隔を存して平行に配置されている。支持アーム２９ａ，２９ｂは、夫々第２の連結部３２を有している。第２の連結部３２は、筐体３の高さ方向に偏平に押し潰された形状であり、支持アーム２９ａ，２９ｂの一端に位置している。
【００２６】
クロスパイプ３０は、支持アーム２９ａ，２９ｂの第２の連結部３２の間を連結するとともに、筐体３の幅方向に沿って水平に延びている。
【００２７】
グリップ部３１は、グリップパイプ３３とグリップラバー３４とを備えている。グリップパイプ３３は、支持アーム２９ａ，２９ｂの他端の間を結合しており、上記クロスパイプ３０と平行に配置されている。グリップラバー３４は、グリップ部３１を手で握る時の滑り止めとなるものであり、グリップパイプ３３の外周面を覆っている。
【００２８】
スイングアーム２２ａ，２２ｂの第１の連結部２４と支持アーム２９ａ，２９ｂの第２の連結部３２とは、ヒンジ軸３６を介して相対的に回動可能に連結されている。ヒンジ軸３６は、筐体３の幅方向に沿って水平に配置されているとともに、第１および第２の連結部２４，３２を貫通している。
【００２９】
第１の連結部２４と第２の連結部３２との間には、スイングアーム２２ａ，２２ｂと支持アーム２９ａ，２９ｂとの相対的な自由な回動を制限する複数のワッシャ３７が介在されている。このため、ハンドル１０は、ヒンジ軸３６の位置で折れ曲がることが可能であり、筐体３との関連においては、ヒンジ軸２５，３６を支点に第１の位置と第２の位置との間で回動可能となっている。
【００３０】
図１ないし図４は、ハンドル１０を第１の位置に回動させた状態を開示している。この第１の位置とは、例えば液晶テレビ１をテレビ台の据付面１１の上に設置するに際して、ハンドル１０をスタンドとして機能させる位置のことである。
【００３１】
第１の位置では、第１のレバー部２０のスイングアーム２２ａ，２２ｂが凹部１３から筐体３の後方に向けて突出するとともに、この筐体３の後方に進む従い据付面１１に向けて下向きに傾斜している。さらに、第１の位置では、第２のレバー部２１の支持アーム２９ａ，２９ｂがスイングアーム２２ａ，２２ｂの下端から据付面１１に沿って筐体３の前方に向けて延びている。
【００３２】
言い換えると、第２のレバー部２１の支持アーム２９ａ，２９ｂは、ハンドル１０を第１の位置に回動させた状態で据付面１１の上に置いた時に、筐体３の下端と据付面１１との間に介在される。よって、ハンドル１０は、第１の位置で筐体３を起立した姿勢に保持している。
【００３３】
図７ないし図１０は、ハンドル１０を第２の位置に回動させた状態を開示している。この第２の位置とは、液晶テレビ１を持ち運ぶ時にハンドル１０を運搬用の把手として機能させたり、あるいは例えば液晶テレビ１を起立した壁１２に掛けるに際して、ハンドル１０を壁掛け用のブラケットとして機能させる位置にことである。
【００３４】
第２の位置では、第１および第２のレバー部２０，２１が凹部１３内に入り込むとともに、スイングアーム２２ａ，２２ｂおよび支持アーム２９ａ，２９ｂが凹部１３の底面１４に沿うように起立している。さらに、第２の位置では、支持アーム２９ａ，２９ｂの上部が筐体３の上端から上向きに突出している。
【００３５】
このため、第２の位置では、グリップ部３１を筐体３の上端から上方に突出させて手で掴むことができる。それとともに、ハンドル１０が第２の位置にある限り、グリップ部３１が筐体３の上方において筐体３の幅方向に延びているので、図１２および図１３に示すように、グリップ部３１を壁１２から突出する一対のフック３９に引っ掛けることができる。したがって、液晶テレビ１を壁１２に掛けて使用することができる。
【００３６】
図９および図１１に示すように、筐体３の凹部１３の底面１４にラッチ４０が取り付けられている。ラッチ４０は、保持手段の一例であり、ハンドル１０を第２の位置に回動させた時に、第２のレバー部２１のクロスパイプ３３に取り外し可能に引っ掛かる。これにより、ハンドル１０が第２の位置に保持され、筐体３に対するグリップ部３１の位置が固定的に定まる。
【００３７】
このような第１の実施の形態によれば、ハンドル１０を第１の位置に回動させることで、ハンドル１０を液晶テレビ１のスタンドとして活用することができる。この結果、液晶テレビ１は、据付面１１の上に起立した姿勢で保持される。
【００３８】
さらに、スタンド１０を第１の位置から第２の位置に向けて回動させると、第２のレバー部２１のグリップ部３１が筐体３の上端の上方に位置する。そのため、ハンドル１０を例えば液晶テレビ１を持ち運ぶ時の把手あるいは液晶テレビ１を壁１２に掛けるためのブラケットとして活用することができる。
【００３９】
グリップ部３１は、ハンドル１０を第１の位置から第２の位置に回動させることで、筐体３の下方から上方に移動する。このため、例えば据付面１１の上に置かれた液晶テレビ１を壁１２に掛けて使用する場合でも、映像を表示する表示面４ａは、液晶テレビ１が据付面１１に上に置かれている時と同様に起立した姿勢を維持する。
【００４０】
したがって、液晶テレビ１を壁１２に掛ける時に、表示面４ａが反転することはなく、据付面１１の上に置いた時と同じ感覚で使用することができる。よって、液晶テレビ１の使い勝手が向上する。
【００４１】
それとともに、表示面４ａの向きが一定に保たれるので、表示面４ａの向きに応じて画面を切り換える機能を液晶テレビ１に付加する必要はなく、コスト的な面でも好都合となるといった利点がある。
【００４２】
加えて、上記第１の実施の形態によると、ハンドル１０がスタンドおよび壁掛け用のブラケットとしての機能を兼ねるので、専用のスタンドおよびブラケットが不要となる。このため、例えば液晶テレビ１を梱包する際に、梱包用の箱を小型化できるとともに、箱と液晶テレビ１との間に詰める緩衝材の量も少なくすることができる。
【００４３】
なお、本発明は上記第１の実施の形態に特定されるものではなく、発明の主旨を逸脱しない範囲内で種々変形して実施可能である。
【００４４】
例えば、図１に二点鎖線で示すように、第２のレバー部２１の支持アーム２９ａ，２９ｂを伸縮可能な構成としてもよい。このことにより、支持アーム２９ａ，２９ｂの長さを自由に調節できるとともに、支持アーム２９ａ，２９ｂを長くすることで、据付面１１の上に液晶テレビ１を置いた時の安定性がより向上する。
【００４５】
さらに、上記第１の実施の形態では、ラッチを用いてハンドル１０を第２の位置に保持するようにしたが、このラッチの代わりにねじを用いてもよい。ねじを用いてハンドルを第２の位置に保持する場合、ハンドルを第２の位置から第１の位置に回動させる際には、ねじを取り外してねじによるハンドルの固定を解除する必要がある。そのため、ハンドルを第１の位置に回動させてスタンドとして機能させる際に、先に取り外したねじを利用してハンドルを据付面の上に固定してもよい。
【００４６】
このようにすれば、スタンド１０を利用して液晶テレビ１の転倒を防止することができる。
【００４７】
それとともに、上記第１の実施の形態では、ハンドルを第２の位置に回動させた時に、グリップ部を筐体の上方に突出させたが、本発明はこれに制約されるものではない。
【００４８】
例えば、筐体の周面のうち筐体の上端に位置する部分にグリップ部が入り込むように切り欠かれた逃げ部を設け、この逃げ部の内面とグリップ部との間に手指を差し込めるようなスペースを形成するようにしてもよい。このスペースは、ハンドルを壁掛け用のブラケットとして利用することを考慮すると、筐体の後方に向けて開放していることが望ましい。
【００４９】
図１４は、本発明の第２の実施の形態を開示している。
【００５０】
この第２の実施の形態では、第２のレバー部２１の支持アーム２９ａ，２９ｂの構成が上記第１の実施の形態と相違している。これ以外の液晶テレビ１の構成は、上記第１の実施の形態と同様である。そのため、第２の実施の形態において、第１の実施の形態と同一の構成部分には同一の参照符号を付して、その説明を省略する。
【００５１】
図１４に示すように、支持アーム２９ａ，２９ｂは、スタンド１０を第１の位置に回動させた時に、筐体３の下端と向かい合う上面５０を有している。この支持アーム２９ａ，２９ｂの上面５０に複数の係止溝５１が形成されている。係止溝５１は、支持アーム２９ａ，２９ｂの径方向に延びるとともに、支持アーム２９ａ，２９ｂの軸方向に間隔を存して並んでいる。
【００５２】
このような構成によると、ハンドル１０をスタンドとして利用する時に、筐体３をヒンジ軸２５を中心に回動させることで、筐体３の下端を支持アーム２９ａ，２９ｂの上のいずれかの係止溝５１に引っ掛けることができる。このため、液晶テレビ１を見る時に、表示面４ａが見易くなるように筐体３の起立角度αを段階的に調節することができる。
【００５３】
本発明に係るディスプレイ装置は、液晶テレビに特定されるものではなく、例えばプラズマテレビあるいはディスクトップ型のコンピュータに用いるモニタであってもよい。
【図面の簡単な説明】
【００５４】
【図１】本発明の第１の実施の形態において、ハンドルを第１の位置に回動させてスタンドとして利用する状態を示す液晶テレビの側面図。
【図２】本発明の第１の実施の形態において、ハンドルを第１の位置に回動させてスタンドとして利用する状態を示す液晶テレビの正面図。
【図３】本発明の第１の実施の形態において、ハンドルを第１の位置に回動させてスタンドとして利用する状態を示す液晶テレビの背面図。
【図４】本発明の第１の実施の形態において、ハンドルを第１の位置に回動させてスタンドとして利用する状態を示す液晶テレビの平面図。
【図５】本発明の第１の実施の形態に係るディスプレイ本体の斜視図。
【図６】本発明の第１の実施の形態において、ハンドルの第１のアーム部とディスプレイ本体との連結部分を示す断面図。
【図７】本発明の第１の実施の形態において、ハンドルを第２の位置に回動させた状態を示す液晶テレビの側面図。
【図８】本発明の第１の実施の形態において、ハンドルを第２の位置に回動させた状態を示す液晶テレビの正面図。
【図９】本発明の第１の実施の形態において、ハンドルを第２の位置に回動させた状態を示す液晶テレビの背面図。
【図１０】本発明の第１の実施の形態において、ハンドルを第２の位置に回動させた状態を示す液晶テレビの平面図。
【図１１】図９のF11-F11線に沿う断面図。
【図１２】本発明の第１の実施の形態において、ハンドルを第２の位置に回動させて壁掛け用のブラケットとして利用する状態を示す液晶テレビの側面図。
【図１３】本発明の第１の実施の形態において、ハンドルを第２の位置に回動させて壁掛け用のブラケットとして利用する状態を示す液晶テレビの正面図。
【図１４】本発明の第２の実施の形態に係る液晶テレビの側面図。
【符号の説明】
【００５５】
２…ディスプレイ本体、４ａ…表示面、６…背面、１０…ハンドル、１１…据付面、３１…グリップ部。
【図１】
2007316502.tif 000003
【図２】
2007316502.tif 000004
【図３】
2007316502.tif 000005
【図４】
2007316502.tif 000006
【図５】
2007316502.tif 000007
【図６】
2007316502.tif 000008
【図７】
2007316502.tif 000009
【図８】
2007316502.tif 000010
【図９】
2007316502.tif 000011
【図１０】
2007316502.tif 000012
【図１１】
2007316502.tif 000013
【図１２】
2007316502.tif 000014
【図１３】
2007316502.tif 000015
【図１４】
2007316502.tif 000016